(57)【要約】【課題】通信の信頼性を損なうことなく複数の通信先との間で通信することが可能な無線通信端末を提供すること。【解決手段】この発明の一例の無線通信端末は、第１の通信先と無線通信する第１の通信手段（１１）と、第２の通信先と無線通信する第２の通信手段（１４）と、前記第２の通信手段による前記第２の通信先との通信開始に基づき、前記第１の通信手段による前記第１の通信先との通信を制限する通信制御手段（１２、１７）とを備えている。【選択図】      図１
2006094213.tif 000002
【特許請求の範囲】
【請求項１】
第１の通信先と無線通信する第１の通信手段と、
第２の通信先と無線通信する第２の通信手段と、
前記第２の通信手段による前記第２の通信先との通信開始に基づき、前記第１の通信手段による前記第１の通信先との通信を制限する通信制御手段と、
を備えたことを特徴とする無線通信端末。
【請求項２】
第１の通信先と無線通信する第１の通信手段と、
第２の通信先と無線通信する第２の通信手段と、
前記第２の通信先から送信される所定のコマンドの受信に基づき、前記第１の通信手段による前記第１の通信先との通信を禁止する通信制御手段と、
を備えたことを特徴とする無線通信端末。
【請求項３】
第１の通信先と無線通信する第１の通信手段と、
第２の通信先と無線通信する第２の通信手段と、
前記第２の通信先から送信されるポーリングコマンドの受信に対応してレスポンスを返信し、このレスポンスに対応して前記第２の通信先から送信される通信禁止コマンドの受信に基づき、前記第１の通信手段による前記第１の通信先との通信を禁止する通信制御手段と、
を備えたことを特徴とする無線通信端末。
【請求項４】
携帯電話基地局と無線通信する第１の通信手段と、
無線ＩＣカードリーダライタと無線通信する第２の通信手段と、
前記無線ＩＣカードリーダライタから送信されるポーリングコマンドの受信に対応してレスポンスを返信し、このレスポンスに対応して前記無線ＩＣカードリーダライタから送信される前記携帯電話基地局との通信禁止コマンドの受信に基づき、前記第１の通信手段による前記携帯電話基地局との通信を禁止する第１の通信制御手段と、
前記無線ＩＣカードリーダライタから送信される処理コマンドの受信に基づき処理を実行し、処理終了レスポンスを返信する処理手段と、
前記処理終了レスポンスに対応して前記無線ＩＣカードリーダライタから送信される前記携帯電話基地局との通信禁止解除コマンドの受信に基づき、前記第１の通信手段による前記携帯電話基地局との通信禁止を解除する第２の通信制御手段と、
を備えたことを特徴とする無線通信端末。
【請求項５】
第１の通信先と無線通信する第１の通信手段と、
第２の通信先と無線通信する第２の通信手段と、
前記第２の通信先から送信されるポーリングコマンドの受信に基づき、前記第１の通信手段による前記第１の通信先との通信を禁止する通信制御手段と、
を備えたことを特徴とする無線通信端末。
【請求項６】
第１の通信先と無線通信する第１の通信手段と、
第２の通信先と無線通信する第２の通信手段と、
前記第２の通信先から送信されるポーリングコマンドの受信に基づき、前記第１の通信手段による前記第１の通信先との通信を禁止する第１の通信制御手段と、
前記第２の通信先から送信される処理コマンドの受信に基づき処理を実行し、処理終了レスポンスを返信する処理手段と、
前記処理終了レスポンスの返信に基づき、前記第１の通信手段による前記第１の通信先との通信禁止を解除する第２の通信制御手段と、
を備えたことを特徴とする無線通信端末。
【請求項７】
携帯電話基地局と無線通信する第１の通信手段と、
無線ＩＣカードリーダライタと無線通信する第２の通信手段と、
前記無線ＩＣカードリーダライタから送信されるポーリングコマンドの受信に基づき、前記第１の通信手段による前記携帯電話基地局との通信を禁止する第１の通信制御手段と、
前記無線ＩＣカードリーダライタから送信される処理コマンドの受信に基づき処理を実行し、処理終了レスポンスを返信する処理手段と、
前記処理終了レスポンスを返信して所定時間経過後に、前記第１の通信手段による前記携帯電話基地局との通信禁止を解除する第２の通信制御手段と、
を備えたことを特徴とする無線通信端末。
【請求項８】
第１の通信先と無線通信する第１の通信手段と、
第２の通信先と無線通信する第２の通信手段と、
前記第１の通信手段による前記第１の通信先との通信を制限する通信制限指示を受け付ける受付手段と、
前記受付手段による通信制御指示の受け付けに基づき、前記第１の通信手段による前記第１の通信先との通信を制限する通信制御手段と、
を備えたことを特徴とする無線通信端末。
【請求項９】
第１の通信先と無線通信する第１の通信手段と、
第２の通信先と無線通信する第２の通信手段と、
前記第２の通信手段による前記第２の通信先との通信を開始する通信開始指示を受け付ける受付手段と、
前記受付手段による通信開始指示の受け付けに基づき、前記第１の通信手段による前記第１の通信先との通信を禁止する第１の通信制御手段と、
前記第２の通信先から送信される処理コマンドの受信に基づき処理を実行し、処理終了レスポンスを返信する処理手段と、
前記処理終了レスポンスの返信に基づき、前記第１の通信手段による前記第１の通信先との通信禁止を解除する第２の通信制御手段と、
を備えたことを特徴とする無線通信端末。
【請求項１０】
携帯電話基地局と無線通信する第１の通信手段と、
無線ＩＣカードリーダライタと無線通信する第２の通信手段と、
前記第２の通信手段による前記無線ＩＣカードリーダライタとの通信を開始する通信開始指示を受け付ける受付手段と、
前記受付手段による通信開始指示の受け付けに基づき、前記第１の通信手段による前記携帯電話基地局との通信を禁止する第１の通信制御手段と、
前記無線ＩＣカードリーダライタから送信される処理コマンドの受信に基づき処理を実行し、処理終了レスポンスを返信する処理手段と、
前記処理終了レスポンスを返信して所定時間経過後に、前記第１の通信手段による前記携帯電話基地局との通信禁止を解除する第２の通信制御手段と、
を備えたことを特徴とする無線通信端末。
【請求項１１】
無線通信端末と無線通信する通信手段と、
前記通信手段による前記無線通信端末との通信開始に基づき、前記無線通信端末に対して他の通信先との通信を制限するコマンドを送信する通信制御手段と、
を備えたことを特徴とする無線通信装置。
【請求項１２】
無線通信端末と無線通信する通信手段と、
前記通信手段によりポーリングコマンドを送信し、このポーリングコマンドに対応する前記無線通信端末からのレスポンスを受信し、他の通信先との通信を禁止するコマンドを前記無線通信端末へ送信する通信制御手段と、
を備えたことを特徴とする無線通信装置。
【請求項１３】
携帯電話基地局と無線通信する第１の通信部及び無線ＩＣカードリーダライタと無線通信する第２の通信部を備えた無線通信端末の前記第２の通信部を介して無線通信する通信手段と、
前記通信手段によりポーリングコマンドを送信し、このポーリングコマンドに対応する前記無線通信端末からのレスポンスを受信し、前記携帯電話基地局との無線通信を禁止する通信禁止コマンドを送信する第１の通信制御手段と、
前記通信手段により前記無線通信端末に対して処理コマンドを送信し、前記無線通信端末から処理終了レスポンスを受信する処理手段と、
前記処理終了レスポンスの受信に対応して、前記携帯電話基地局との通信禁止解除コマンドを送信する第２の通信制御手段と、
を備えたことを特徴とする無線ＩＣカードリーダライタ。
【発明の詳細な説明】
【技術分野】
【０００１】
本発明は、無線ＩＣカードリーダライタとの通信及び携帯電話基地局との通信が可能な無線通信端末（ＩＣカード機能付き携帯電話）に関する。また、本発明は、このような無線通信端末と通信する無線通信装置（無線ＩＣカードリーダライタ）に関する。
【背景技術】
【０００２】
近年、情報の安全性と携帯の利便性の面から非接触で利用可能な非接触式ＩＣカードの普及が進んでおり、このような非接触式ＩＣカードを利用した非接触情報送受信に関する各種提案がなされている（特許文献１参照）。
【０００３】
例えば近年では、非接触式ＩＣカードは、乗車券媒体として利用されている。鉄道などの駅には、改札処理の省力化を目的として、自動改札装置が導入されている。以前は、自動改札装置は、プリペイドカード、定期券、普通乗車券などの磁気券を受け取り、磁気券に記録された情報を読み取り、改札判定を行なっていた。しかし近年では、自動改札装置は、非接触式ＩＣカードリーダライタ装置を搭載し、磁気券に替わる非接触式ＩＣカードと交信することにより改札処理を行なうことができる。このような非接触式ＩＣカードは、自動改札装置だけでなく、券売機などの他の駅務機器でも利用可能となっている。例えば、券売機により非接触式ＩＣカードに対して、運賃として利用可能な金額情報を記録することができる。
【０００４】
また、現在普及している携帯電話に上記した非接触式ＩＣカードの機能を搭載したＩＣカード機能付き携帯電話が提案されている。
【特許文献１】特開２０００−３６０１７号公報
【発明の開示】
【発明が解決しようとする課題】
【０００５】
しかしながら、上記したＩＣカード機能付き携帯電話は、携帯電話基地局との通信とＩＣカードリーダライタとの通信が同時に行われた際に、互いの電波状況が互いの通信に影響を与え合い、通信が不安定になるという問題がある。ＩＣカードリーダライタとの間の特に料金の収受の際に通信が不安定となり、間違った料金収受処理が実行されてしまうと、システムの信頼性を失うことになってしまう。
【０００６】
本発明の目的は、上記課題を解決するためになされたものであり、通信の信頼性を損なうことなく複数の通信先との間で通信することが可能な無線通信端末を提供することにある。また、本発明の目的は、複数の通信先との間で通信が可能な無線通信端末と安定した通信が可能な無線通信装置を提供することにある。
【課題を解決するための手段】
【０００７】
この発明の無線通信端末及び無線通信装置は、以下のように構成されている。
【０００８】
（１）この発明の一例の無線通信端末は、第１の通信先と無線通信する第１の通信手段と、第２の通信先と無線通信する第２の通信手段と、前記第２の通信先から送信される所定のコマンドの受信に基づき、前記第１の通信手段による前記第１の通信先との通信を禁止する通信制御手段とを備えている。
【０００９】
（２）この発明の一例の無線通信端末は、第１の通信先と無線通信する第１の通信手段と、第２の通信先と無線通信する第２の通信手段と、前記第２の通信先から送信されるポーリングコマンドの受信に基づき、前記第１の通信手段による前記第１の通信先との通信を禁止する通信制御手段とを備えている。
【００１０】
（３）この発明の一例の無線通信端末は、第１の通信先と無線通信する第１の通信手段と、第２の通信先と無線通信する第２の通信手段と、前記第１の通信手段による前記第１の通信先との通信を制限する通信制限指示を受け付ける受付手段と、前記受付手段による通信制御指示の受け付けに基づき、前記第１の通信手段による前記第１の通信先との通信を制限する通信制御手段とを備えている。
【００１１】
（４）この発明の一例の無線通信端末は、無線通信端末と無線通信する通信手段と、前記通信手段による前記無線通信端末との通信開始に基づき、前記無線通信端末に対して他の通信先との通信を制限するコマンドを送信する通信制御手段とを備えている。
【発明の効果】
【００１２】
本発明によれば、通信の信頼性を損なうことなく複数の通信先との間で通信することが可能な無線通信端末を提供できる。また、本発明によれば、複数の通信先との間で通信が可能な無線通信端末と安定した通信が可能な無線通信装置を提供できる。
【発明を実施するための最良の形態】
【００１３】
以下、図面を参照し、本発明の実施形態について説明する。
【００１４】
図１は、この発明の一例のＩＣカード機能付き携帯電話（無線通信端末）及びＩＣカードリーダライタ（無線通信装置）の概略構成を示す図である。
【００１５】
図１に示すように、ＩＣカード機能付き携帯電話１は、第１の通信用アンテナ１１、第１の制御部１２、第１の電源１３、第２の通信用アンテナ１４、整流回路１５、第２の電源１６、第２の制御部１７、及び入力操作部１８などを備えている。
【００１６】
第１の通信用アンテナ１１は、携帯電話基地局と無線通信するための通信手段である。第１の制御部１２は、携帯電話基地局との無線通信を制御する制御手段である。第１の電源１３は、携帯電話基地局との無線通信に必要な電力を各部へ供給する。
【００１７】
第２の通信用アンテナ１４は、ＩＣカードリーダライタ（無線通信装置）２と無線通信するための通信手段である。整流回路１５は、第２の通信用アンテナ１４を介して受信した磁界を整流する。第２の電源１６は、整流回路１５により整流された信号に基づきＩＣカードリーダライタとの無線通信に必要な電力を生成し各部へ供給する。第２の制御部１７は、ＩＣカードリーダライタとの無線通信を制御する制御手段である。
【００１８】
上記したように、ＩＣカード機能付き携帯電話１においては、携帯電話基地局との無線通信に必要な電力と、ＩＣカードリーダライタ２との無線通信に必要な電力とは、独立した電源から供給されるようになっている。
【００１９】
入力操作部１８は、例えばテンキーや各種ファンクションキー及び表示部により構成され、表示部に表示される設定項目をテンキーや各種ファンクションキーにより選択することにより、各種動作を設定することができる。
【００２０】
一方のＩＣカードリーダライタ２は、通信用アンテナ２１及び制御部２２を備えている。通信用アンテナ２１は、ＩＣカード機能付き携帯電話１と無線通信するための通信手段である。制御部２２は、ＩＣカード機能付き携帯電話１との無線通信を制御する制御手段である。
【００２１】
次に、図２及び図３を参照して、ＩＣカードリーダライタ２から送信される通信禁止コマンド（例えば電源ＯＦＦコマンド）に基づき実行されるＩＣカード機能付き携帯電話１の第１の通信機能制御について説明する。図２は、第１の通信機能制御の実行を説明するための、ＩＣカード機能付き携帯電話１及びＩＣカードリーダライタ２の両者間の信号送受信を示す図である。図３は、ＩＣカード機能付き携帯電話１における第１の通信機能制御を説明するためのフローチャートである。
【００２２】
図２に示すように、ＩＣカードリーダライタ２は、ポーリングコマンドを送信し、ＩＣカード機能付き携帯電話１からのレスポンスを待つ。ＩＣカードリーダライタ２の通信可能領域内に、ＩＣカード機能付き携帯電話１が侵入しない間は、ＩＣカード機能付き携帯電話１からのレスポンスは無い。
【００２３】
ＩＣカード機能付き携帯電話１が、ＩＣカードリーダライタ２の通信可能領域内に入ると、このＩＣカード機能付き携帯電話１は、ＩＣカードリーダライタ２からのポーリングコマンドを受信し（ＳＴ１１）、このポーリングコマンドに対応してレスポンスを返信する（ＳＴ１２）。
【００２４】
ＩＣカードリーダライタ２は、ＩＣカード機能付き携帯電話１からのレスポンスを受信し、ＩＣカード機能付き携帯電話１が通信可能領域内に入ったことを検知する。ＩＣカードリーダライタ２は、ＩＣカード機能付き携帯電話１からのレスポンスの受信に対応して、ＩＣカード機能付き携帯電話１に対して携帯電話基地局との通信を禁止する通信禁止コマンドを送信する。通信禁止コマンドの一例として、携帯電話基地局との通信に必要な電力を生成する第１の電源１３からの電力供給を断つための電源ＯＦＦコマンドを送信する。
【００２５】
ＩＣカード機能付き携帯電話１は、ＩＣカードリーダライタ２からの通信禁止コマンド（例えば電源ＯＦＦコマンド）を受信する。ＩＣカード機能付き携帯電話１の第２の制御部１７は、第１の制御部１２に対して携帯電話基地局との通信の禁止（通信ＯＦＦ）を命令する。これに伴い第１の制御部１２は、携帯電話基地局との通信を禁止する。例えば、電源ＯＦＦコマンドを受信した場合は（ＳＴ１３、ＹＥＳ）、ＩＣカード機能付き携帯電話１の制御部１７は、第１の制御部１２に対して第１の電源１３のＯＦＦを命令する。これに対応して、第１の制御部１２は、第１の電源１３をＯＦＦし（ＳＴ１４）、携帯電話基地局との通信を禁止する。第１の電源１３からの電力供給がストップしても、第２の電源１６によりＩＣカードリーダライタ２との通信は可能である。なお、ＩＣカード機能付き携帯電話１は、通信禁止コマンド（例えば電源ＯＦＦコマンド）の受信に対応して、レスポンスを送信する（ＳＴ１５）。
【００２６】
ＩＣカードリーダライタ２は、ＩＣカード機能付き携帯電話１からのレスポンスを受信し、例えば料金収受処理を開始する。つまり、ＩＣカードリーダライタ２は、ＩＣカード機能付き携帯電話１に対して料金収受処理のための各種処理コマンドを送信する。ＩＣカード機能付き携帯電話１は、ＩＣカードリーダライタ２からの料金収受処理のための各種処理コマンドを受信し料金収受処理を実行し（ＳＴ１６）、ＩＣカードリーダライタ２に対して料金収受処理終了のレスポンスを返信する。
【００２７】
ＩＣカードリーダライタ２は、ＩＣカード機能付き携帯電話１からの料金収受処理終了のレスポンスを受信し、ＩＣカード機能付き携帯電話１に対して携帯電話基地局との通信禁止を解除する通信禁止解除コマンドを送信する。通信禁止解除コマンドの一例として、携帯電話基地局との通信に必要な電力を生成する第１の電源１３からの電力供給を再開するための電源ＯＮコマンドを送信する。
【００２８】
ＩＣカード機能付き携帯電話１は、ＩＣカードリーダライタ２からの通信禁止解除コマンド（例えば電源ＯＮコマンド）を受信する。ＩＣカード機能付き携帯電話１の第２の制御部１７は、第１の制御部１２に対して携帯電話基地局との通信禁止解除（通信ＯＮ）を命令する。これに伴い第１の制御部１２は、携帯電話基地局との通信禁止を解除する。例えば、電源ＯＮコマンドを受信した場合は（ＳＴ１７、ＹＥＳ）、ＩＣカード機能付き携帯電話１の第２の制御部１７は、第１の制御部１２に対して第１の電源１３のＯＮを命令する。これに対応して第１の制御部１２は、第１の電源１３をＯＮし（ＳＴ１８）、携帯電話基地局との通信禁止を解除する。
【００２９】
なお、ＩＣカードリーダライタ２は、ＩＣカード機能付き携帯電話１からの料金収受処理終了のレスポンスを受信してから所定時間経過後に、ＩＣカード機能付き携帯電話１に対して携帯電話基地局との通信禁止を解除する通信禁止解除コマンドを送信するようにしてもよい。これにより、確実に、ＩＣカード機能付き携帯電話１がＩＣカードリーダライタ２の通信可能領域から出てから、ＩＣカード機能付き携帯電話１の携帯電話機能が利用可能となる。
【００３０】
以上により、ＩＣカード機能付き携帯電話１の携帯電話機能が停止された状態で、ＩＣカード機能付き携帯電話１による料金収受等のＩＣカード通信が実行される。よって、料金収受等のＩＣカード通信中に携帯電話通信がぶつかることは無い。つまり、相互に影響を受けることなく通信の安定化を図ることができる。特に、料金収受等の処理を行っている途中に通信が不安定となると、間違った料金情報がＩＣカード機能付き携帯電話１とＩＣカードリーダライタ２との間でやり取りされてしまうが、そのような重大なミスを防止することができる。
【００３１】
次に、図４及び図５を参照して、ＩＣカードリーダライタ２から送信されるポーリングコマンドに基づき実行されるＩＣカード機能付き携帯電話１の第２の通信機能制御について説明する。図４は、第２の通信機能制御の実行を説明するための、ＩＣカード機能付き携帯電話１及びＩＣカードリーダライタ２の両者間の信号送受信を示す図である。図５は、ＩＣカード機能付き携帯電話１における第２の通信機能制御を説明するためのフローチャートである。
【００３２】
図４に示すように、ＩＣカードリーダライタ２は、ポーリングコマンドを送信し、ＩＣカード機能付き携帯電話１からのレスポンスを待つ。ＩＣカードリーダライタ２の通信可能領域内に、ＩＣカード機能付き携帯電話１が侵入しない間は、ＩＣカード機能付き携帯電話１からのレスポンスは無い。
【００３３】
ＩＣカード機能付き携帯電話１が、ＩＣカードリーダライタ２の通信可能領域内に入ると、このＩＣカード機能付き携帯電話１は、ＩＣカードリーダライタ２からのポーリングコマンドを受信し（ＳＴ２１）、ＩＣカード機能付き携帯電話１の第２の制御部１７は、第１の制御部１２に対して携帯電話基地局との通信の禁止（通信ＯＦＦ）を命令する。これに伴い第１の制御部１２は、携帯電話基地局との通信を禁止する。例えば、ＩＣカード機能付き携帯電話１の制御部１７は、第１の制御部１２に対して第１の電源１３のＯＦＦを命令する。これに対応して、第１の制御部１２は、第１の電源１３をＯＦＦし（ＳＴ２２）、携帯電話基地局との通信を禁止する。第１の電源１３からの電力供給がストップしても、第２の電源１６によりＩＣカードリーダライタ２との通信は可能である。なお、ＩＣカード機能付き携帯電話１は、ポーリングコマンドの受信に対応して、レスポンスを送信する（ＳＴ２３）。
【００３４】
ＩＣカードリーダライタ２は、ＩＣカード機能付き携帯電話１からのレスポンスを受信し、ＩＣカード機能付き携帯電話１が通信可能領域内に入ったことを検知する。ＩＣカードリーダライタ２は、ＩＣカード機能付き携帯電話１からのレスポンスの受信に対応して、例えば料金収受処理を開始する。つまり、ＩＣカードリーダライタ２は、ＩＣカード機能付き携帯電話１に対して料金収受処理のための各種処理コマンドを送信する。ＩＣカード機能付き携帯電話１は、ＩＣカードリーダライタ２からの料金収受処理のための各種処理コマンドを受信し料金収受処理を実行する（ＳＴ２４）。
【００３５】
ＩＣカード機能付き携帯電話１は、料金収受処理が終了すると、ＩＣカードリーダライタ２に対して料金収受処理終了のレスポンスを返信し、また一定時間をカウントする（ＳＴ２６）。料金収受処理が終了してから所定時間経過後に、ＩＣカード機能付き携帯電話１の第２の制御部１７は、第１の制御部１２に対して携帯電話基地局との通信禁止解除（通信ＯＮ）を命令する。これに伴い第１の制御部１２は、携帯電話基地局との通信禁止を解除する。例えば、ＩＣカード機能付き携帯電話１の第２の制御部１７は、第１の制御部１２に対して第１の電源１３のＯＮを命令する。これに対応して第１の制御部１２は、第１の電源１３をＯＮし（ＳＴ２７）、携帯電話基地局との通信禁止を解除する。これにより、確実に、ＩＣカード機能付き携帯電話１がＩＣカードリーダライタ２の通信可能領域から出てから、ＩＣカード機能付き携帯電話１の携帯電話機能が利用可能となる。
【００３６】
以上により、ＩＣカード機能付き携帯電話１の携帯電話機能が停止された状態で、ＩＣカード機能付き携帯電話１による料金収受等のＩＣカード通信が実行される。よって、料金収受等のＩＣカード通信中に携帯電話通信がぶつかることは無い。つまり、相互に影響を受けることなく通信の安定化を図ることができる。特に、料金収受等の処理を行っている途中に通信が不安定となると、間違った料金情報がＩＣカード機能付き携帯電話１とＩＣカードリーダライタ２との間でやり取りされてしまうが、そのような重大なミスを防止することができる。また、ＩＣカード機能付き携帯電話１は、ＩＣカードリーダライタ２からのポーリングコマンドに基づき、携帯電話通信を停止するので、ＩＣカードリーダライタ２の構成を新たに変更する必要もない。言い換えると、ＩＣカードリーダライタ２がポーリングコマンドさえ出力できれば、上記説明した第２の通信機能制御を実現することができる。
【００３７】
次に、図６及び図７を参照して、ユーザの入力操作に対応して実行されるＩＣカード機能付き携帯電話１の第３の通信機能制御について説明する。図６は、第３の通信機能制御の実行を説明するための、ＩＣカード機能付き携帯電話１及びＩＣカードリーダライタ２の両者間の信号送受信を示す図である。図７は、ＩＣカード機能付き携帯電話１における第３の通信機能制御を説明するためのフローチャートである。
【００３８】
ＩＣカード機能付き携帯電話１のユーザは、ＩＣカード機能付き携帯電話１によるＩＣカード機能を利用する前に、つまりＩＣカード機能付き携帯電話１がＩＣカードリーダライタ２の通信可能領域に入る前に、ＩＣカード機能付き携帯電話１の入力操作部１８（ＩＣカード機能ボタン）を介して、ＩＣカードモードを設定する（ＳＴ３１、ＳＴ３２）。
【００３９】
ＩＣカード機能付き携帯電話１の第２の制御部１７は、入力操作部１８からのＩＣカードモードの設定（携帯電話通信の通信制限指示／ＩＣカード通信の通信開始指示）を受けて、ＩＣカード通信モードをＯＮするとともに（ＳＴ３２）、第１の制御部１２に対して携帯電話基地局との通信の禁止（通信ＯＦＦ）を命令する。これに伴い第１の制御部１２は、携帯電話基地局との通信を禁止する。例えば、ＩＣカード機能付き携帯電話１の制御部１７は、第１の制御部１２に対して第１の電源１３のＯＦＦを命令する。これに対応して、第１の制御部１２は、第１の電源１３をＯＦＦし、携帯電話基地局との通信を禁止する。第１の電源１３からの電力供給がストップしても、第２の電源１６によりＩＣカードリーダライタ２との通信は可能である。
【００４０】
ＩＣカードリーダライタ２は、ポーリングコマンドを送信し、ＩＣカード機能付き携帯電話１からのレスポンスを待つ。ＩＣカードリーダライタ２の通信可能領域内に、ＩＣカード機能付き携帯電話１が侵入しない間は、ＩＣカード機能付き携帯電話１からのレスポンスは無い。
【００４１】
ＩＣカード機能付き携帯電話１が、ＩＣカードリーダライタ２の通信可能領域内に入ると、このＩＣカード機能付き携帯電話１は、ＩＣカードリーダライタ２からのポーリングコマンドを受信し（ＳＴ３３、ＹＥＳ）、このポーリングコマンドに対応してレスポンスを返信する（ＳＴ３５）。ＩＣカード機能付き携帯電話１が、所定時間内にＩＣカードリーダライタ２からのポーリングコマンドを受信しなければ（ＳＴ３３、ＮＯ）（ＳＴ３４、ＹＥＳ）、ＩＣカード通信モードは解除される。
【００４２】
ＩＣカードリーダライタ２は、ＩＣカード機能付き携帯電話１からのレスポンスを受信し、ＩＣカード機能付き携帯電話１が通信可能領域内に入ったことを検知する。ＩＣカードリーダライタ２は、ＩＣカード機能付き携帯電話１からのレスポンスの受信に対応して、例えば料金収受処理を開始する。つまり、ＩＣカードリーダライタ２は、ＩＣカード機能付き携帯電話１に対して料金収受処理のための各種処理コマンドを送信する。ＩＣカード機能付き携帯電話１は、ＩＣカードリーダライタ２からの料金収受処理のための各種処理コマンドを受信し料金収受処理を実行する（ＳＴ３６）。
【００４３】
ＩＣカード機能付き携帯電話１は、料金収受処理が終了すると（ＳＴ３７、ＹＥＳ）、ＩＣカードリーダライタ２に対して料金収受処理終了のレスポンスを返信し、また一定時間をカウントする（ＳＴ３８）。料金収受処理が終了してから所定時間経過後に、ＩＣカード機能付き携帯電話１の第２の制御部１７は、ＩＣカード通信モードをＯＦＦするとともに（ＳＴ３９）、第１の制御部１２に対して携帯電話基地局との通信禁止解除（通信ＯＮ）を命令する。これに伴い第１の制御部１２は、携帯電話基地局との通信禁止を解除する。例えば、ＩＣカード機能付き携帯電話１の第２の制御部１７は、第１の制御部１２に対して第１の電源１３のＯＮを命令する。これに対応して第１の制御部１２は、第１の電源１３をＯＮし、携帯電話基地局との通信禁止を解除する。これにより、確実に、ＩＣカード機能付き携帯電話１がＩＣカードリーダライタ２の通信可能領域から出てから、ＩＣカード機能付き携帯電話１の携帯電話機能が利用可能となる。
【００４４】
以上により、ＩＣカード機能付き携帯電話１の携帯電話機能が停止された状態で、ＩＣカード機能付き携帯電話１による料金収受等のＩＣカード通信が実行される。よって、料金収受等のＩＣカード通信中に携帯電話通信がぶつかることは無い。つまり、相互に影響を受けることなく通信の安定化を図ることができる。特に、料金収受等の処理を行っている途中に通信が不安定となると、間違った料金情報がＩＣカード機能付き携帯電話１とＩＣカードリーダライタ２との間でやり取りされてしまうが、そのような重大なミスを防止することができる。また、ＩＣカード機能付き携帯電話１は、入力操作部１８を介する設定により、ＩＣカード通信モードをＯＮにして携帯電話通信を停止するので、ＩＣカードリーダライタ２の構成を新たに変更する必要もない。
【００４５】
なお、上記第１、第２、第３の通信機能制御では、電源ＯＦＦによる携帯電話通信の制限について説明したが、その他にも、留守番電話機能を設定することにより携帯電話通信を制限するようにしてもよい。
【００４６】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４７】
【図１】この発明の一例のＩＣカード機能付き携帯電話（無線通信端末）及びＩＣカードリーダライタ（無線通信装置）の概略構成を示す図である。
【図２】第１の通信機能制御の実行を説明するための、ＩＣカード機能付き携帯電話１及びＩＣカードリーダライタ２の両者間の信号送受信を示す図である。
【図３】ＩＣカード機能付き携帯電話１における第１の通信機能制御を説明するためのフローチャートである。
【図４】第２の通信機能制御の実行を説明するための、ＩＣカード機能付き携帯電話１及びＩＣカードリーダライタ２の両者間の信号送受信を示す図である。
【図５】ＩＣカード機能付き携帯電話１における第２の通信機能制御を説明するためのフローチャートである。
【図６】第３の通信機能制御の実行を説明するための、ＩＣカード機能付き携帯電話１及びＩＣカードリーダライタ２の両者間の信号送受信を示す図である。
【図７】ＩＣカード機能付き携帯電話１における第３の通信機能制御を説明するためのフローチャートである。
【符号の説明】
【００４８】
１…ＩＣカード機能付き携帯電話、１１…第１の通信用アンテナ、１２…第１の制御部、１３…第１の電源、１４…第２の通信用アンテナ、１５…整流回路、１６…第２の電源、１７…第２の制御部、１８…入力操作部、２…ＩＣカードリーダライタ、２１…通信用アンテナ、２２…制御部
【図１】
2006094213.tif 000003
【図２】
2006094213.tif 000004
【図３】
2006094213.tif 000005
【図４】
2006094213.tif 000006
【図５】
2006094213.tif 000007
【図６】
2006094213.tif 000008
【図７】
2006094213.tif 000009